(57)【要約】      （修正有）【課題】通常プリントに先だって試しプリントを実行する際に、必要な手順を利用者が全て把握していない場合であっても、画像形成システムの構成やジョブの内容によって必要となる試しプリントを適切に実行する。【解決手段】プリントされた用紙に後処理を施す後処理装置３００が接続可能であり、後処理の仕上がり確認又は後処理直前の用紙測定のための後処理用試しプリントを通常プリントに先立ち実行する機能を有する画像形成装置１００であって、用紙に画像をプリントする画像形成部１５０と、後処理用試しプリントの際に必要とされる利用者手順の情報である試しプリント手順情報を記憶する記憶部１０４と、画像形成部における後処理用試しプリントの実行と通常プリントの実行とを制御する制御部１０１と、を有し、制御部は、実行予定のジョブに対応する試しプリント手順情報を記憶部から読み出し、該試しプリント手順情報を出力する機能を有する。【選択図】図１
2015156132.tif 000002
【特許請求の範囲】
【請求項１】
プリントされた用紙に後処理を施す後処理装置が接続可能であり、後処理の仕上がり確認又は後処理直前の用紙測定のための後処理用試しプリントを通常プリントに先立ち実行する機能を有する画像形成装置であって、
前記用紙に画像をプリントする画像形成部と、
前記後処理用試しプリントの際に必要とされる利用者手順の情報である試しプリント手順情報を記憶する記憶部と、
前記画像形成部における前記後処理用試しプリントの実行と前記通常プリントの実行とを制御する制御部と、を有し、
前記制御部は、実行予定のジョブに対応する前記試しプリント手順情報を前記記憶部から読み出し、該試しプリント手順情報を出力する機能を有する、
ことを特徴とする画像形成装置。
【請求項２】
前記試しプリント手順情報は、前記後処理装置において後処理の実行に必要とされるデータの種類のデータ種類情報と、該データを前記後処理装置で操作する必要があることを示す必要操作情報とを、少なくとも含む、
ことを特徴とする請求項１に記載の画像形成装置。
【請求項３】
前記試しプリント手順情報の出力は、該画像形成装置において前記試しプリント手順情報を通知する通知用データの生成と出力、又は、該画像形成装置以外の外部の機器において前記試しプリント手順情報を通知する通知用データの生成と出力、の少なくとも一方である、
ことを特徴とする請求項１又は請求項２のいずれか一項に記載の画像形成装置。
【請求項４】
前記制御部は、前記試しプリント手順情報を出力した後に、出力された当該試しプリント手順情報に対する操作完了確認を示す完了情報を受領するまで待機するよう制御する、
ことを特徴とする請求項１乃至請求項３のいずれか一項に記載の画像形成装置。
【請求項５】
前記制御部は、実行予定のジョブに対応して、前記試しプリント手順情報の出力に対する前記操作完了確認が必要であるか否かを判断し、前記操作完了確認が必要でないと判断される場合には、前記試しプリント手順情報を出力した後に前記完了情報の受領を待たずに次の処理を進めるよう制御する、
ことを特徴とする請求項４に記載の画像形成装置。
【請求項６】
前記制御部は、前記後処理用試しプリントの実行要否を問い合わせる機能を有し、前記問い合わせに対して実行不要の指示が入力された場合は、該指示に対応する前記後処理用試しプリントを実行しないように制御する、
ことを特徴とする請求項１乃至請求項５のいずれか一項に記載の画像形成装置。
【請求項７】
前記制御部は、実行した前記ジョブの内容を過去ジョブ履歴として前記記憶部に記憶する機能を有し、実行予定の前記ジョブと内容が一致する過去ジョブ履歴が存在する場合には、実行予定のジョブであって前記過去ジョブ履歴と一致する前記後処理用試しプリントを実行せずに、次の処理に進めるように制御する、
ことを特徴とする請求項１乃至請求項６のいずれか一項に記載の画像形成装置。
【請求項８】
‖以上の請求項８（提案書請求項６＝提案書図１１の赤文字部分）です
前記制御部は、実行予定の前記ジョブと内容が一致する過去ジョブ履歴が存在する場合であって、前記記憶部に記憶されている最新の同一後処理内容の前記ジョブと実行予定の前記ジョブとの内容が一致しない場合には、
該実行予定のジョブについて前記後処理用試しプリントを実行せずに、該実行予定のジョブにおける前記通常プリントでの後処理の実行のために前記後処理装置において必要とされる手順の確認を行い、該確認の後に次の処理を進める、
ことを特徴とする請求項７に記載の画像形成装置。
【請求項９】
前記制御部は、実行予定の前記ジョブと内容が一致する過去ジョブ履歴が存在する場合であって、前記記憶部に記憶されている最新の同一後処理内容の前記ジョブと実行予定の前記ジョブとの内容が一致する場合には、該実行予定のジョブについて前記後処理用試しプリントを実行せずに次の処理に進めるように制御する、
ことを特徴とする請求項７に記載の画像形成装置。
【請求項１０】
前記制御部は、実行予定のジョブにおいて前記後処理装置にて実行される後処理モードを識別し、
識別された前記後処理モードを参照して前記記憶部から試しプリント手順情報を読み出す、
ことを特徴とする請求項１乃至請求項９のいずれか一項に記載の画像形成装置。
【請求項１１】
請求項１乃至請求項１０のいずれか一項に記載の画像形成装置と、
前記画像形成装置に接続可能されて前記画像形成装置にてプリントされた用紙に後処理を施す後処理装置と、
を備えて構成され、
前記後処理装置は、前記後処理用試しプリント手順情報に基づいた操作を受け付ける機能を有する、
ことを特徴とする画像形成システム。
【請求項１２】
プリントされた用紙に後処理を施す後処理装置が接続可能な画像形成装置のコンピュータを機能させる画像形成制御プログラムであって、
前記用紙に画像をプリントする画像形成部、
前記後処理用試しプリントの際に必要とされる利用者手順の情報である試しプリント手順情報を記憶する記憶部、
前記画像形成部における前記後処理用試しプリントの実行と前記通常プリントの実行とを制御する機能と、後処理の仕上がり確認又は後処理直前の用紙測定のための後処理用試しプリントを通常プリントに先立ち実行する際に、実行予定のジョブに対応する前記試しプリント手順情報を前記記憶部から読み出し、該試しプリント手順情報を出力する機能とを有する制御部、
としてコンピュータを機能させることを特徴とする画像形成制御プログラム。
【請求項１３】
前記試しプリント手順情報は、前記後処理装置において後処理の実行に必要とされるデータの種類のデータ種類情報と、該データを前記後処理装置で操作する必要があることを示す必要操作情報とを、少なくとも含む、
ことを特徴とする請求項１２に記載の画像形成制御プログラム。
【請求項１４】
前記試しプリント手順情報の出力は、該画像形成装置において前記試しプリント手順情報を通知する通知用データの生成と出力、又は、該画像形成装置以外の外部の機器において前記試しプリント手順情報を通知する通知用データの生成と出力、の少なくとも一方である、
ことを特徴とする請求項１２又は請求項１３のいずれか一項に記載の画像形成制御プログラム。
【請求項１５】
前記制御部は、前記試しプリント手順情報を出力した後に、出力された当該試しプリント手順情報に対する操作完了確認を示す完了情報を受領するまで待機するよう制御する、
ことを特徴とする請求項１２乃至請求項１４のいずれか一項に記載の画像形成制御プログラム。
【請求項１６】
前記制御部は、実行予定のジョブに対応して、前記試しプリント手順情報の出力に対する前記操作完了確認が必要であるか否かを判断し、前記操作完了確認が必要でないと判断される場合には、前記試しプリント手順情報を出力した後に前記完了情報の受領を待たずに次の処理を進めるよう制御する、
ことを特徴とする請求項１５に記載の画像形成制御プログラム。
【請求項１７】
前記制御部は、前記後処理用試しプリントの実行要否を問い合わせる機能を有し、前記問い合わせに対して実行不要の指示が入力された場合は、該指示に対応する前記後処理用試しプリントを実行しないように制御する、
ことを特徴とする請求項１２乃至請求項１６のいずれか一項に記載の画像形成制御プログラム。
【請求項１８】
前記制御部は、実行した前記ジョブの内容を過去ジョブ履歴として前記記憶部に記憶する機能を有し、実行予定の前記ジョブと内容が一致する過去ジョブ履歴が存在する場合には、実行予定のジョブであって前記過去ジョブ履歴と一致する前記後処理用試しプリントを実行せずに、次の処理に進めるように制御する、
ことを特徴とする請求項１２乃至請求項１７のいずれか一項に記載の画像形成制御プログラム。
【請求項１９】
前記制御部は、実行予定の前記ジョブと内容が一致する過去ジョブ履歴が存在する場合であって、前記記憶部に記憶されている最新の同一後処理内容の前記ジョブと実行予定の前記ジョブとの内容が一致しない場合には、
該実行予定のジョブについて前記後処理用試しプリントを実行せずに、該実行予定のジョブにおける前記通常プリントでの後処理の実行のために前記後処理装置において必要とされる手順の確認を行い、該確認の後に次の処理を進める、
ことを特徴とする請求項１８に記載の画像形成制御プログラム。
【請求項２０】
前記制御部は、実行予定の前記ジョブと内容が一致する過去ジョブ履歴が存在する場合であって、前記記憶部に記憶されている最新の同一後処理内容の前記ジョブと実行予定の前記ジョブとの内容が一致する場合には、該実行予定のジョブについて前記後処理用試しプリントを実行せずに次の処理に進めるように制御する、
ことを特徴とする請求項１８に記載の画像形成制御プログラム。
【請求項２１】
前記制御部は、実行予定のジョブにおいて前記後処理装置にて実行される後処理モードを識別し、
識別された前記後処理モードを参照して前記記憶部から試しプリント手順情報を読み出す、
ことを特徴とする請求項１２乃至請求項２０のいずれか一項に記載の画像形成制御プログラム。
【発明の詳細な説明】
【技術分野】
【０００１】
本発明は、プリンタや軽印刷装置等の画像形成装置に各種用紙処理を実行する後処理装置を接続して後処理を実行する際の適切な制御に関する。
【背景技術】
【０００２】
画像形成装置の後段に後処理装置を接続して、プリントされた用紙束に対して中綴じ製本や糊付け製本を施して、製本された状態の冊子として出力する画像形成システムが存在している。
【０００３】
また、このような画像形成装置において、確認出力モードあるいは試しプリントと呼ばれる機能が存在しており、完成形の冊子と同じ状態の冊子を１部出力することが可能である。このような試しプリント（仕上がり確認用試しプリント）により、冊子の仕上がり状態を確認することが可能になる。
【０００４】
一方、画像形成装置に対して他社の汎用後処理装置を接続した画像形成システムでは、後処理を伴うプリントに先だって、用紙サイズや用紙束厚などの情報を後処理装置で入力する操作が必要になる。
【０００５】
なぜならば、画像形成装置と後処理装置との間で用紙サイズの情報伝達ができないこと、更に、画像形成装置でのプリントにおいて定着処理の加熱により用紙サイズ等が変化することがあり、変化後の正確な用紙サイズや用紙束厚を後処理装置に設定しないと、後処理装置が後処理を所望の状態に仕上げることができなくなるからである。このため、試しプリント（測定用試しプリント）として、用紙１枚又は用紙１束にプリントを施して、後処理用ではない画像形成装置の排出部に排出する。そして、排出された用紙を利用者が測定して、測定結果を後処理装置に入力する。
【０００６】
なお、これらの技術については、以下の特許文献にも提案がなされている。
【先行技術文献】
【特許文献】
【０００７】
【特許文献１】特開２００８−１５８７０９号公報
【特許文献２】特開２００８−１５２４７２号公報
【発明の概要】
【発明が解決しようとする課題】
【０００８】
以上の特許文献１では、仕上がり確認用試しプリントについて適切なページをプリントすることは配慮されている。しかし、この特許文献１では、仕上がり確認用試しプリントと測定用試しプリントとを効率的に実行することは何ら配慮されていない。
【０００９】
以上の特許文献２では、仕上がり確認用試しプリントについて複数回行うことが提案されている。しかし、この特許文献２では、仕上がり確認用試しプリントの他に測定用試しプリントを実行することは何ら配慮されていない。
【００１０】
画像形成装置に対して同じメーカーの同じシリーズの後処理装置が接続された画像形成システムであれば、画像形成装置と後処理装置間で各種の情報伝達が可能である。このため、上述した測定用試しプリントは必要なく、仕上がり確認用試しプリントを実行することができる。
【００１１】
一方、画像形成装置に対して汎用の後処理装置が接続された画像形成システムであれば、画像形成装置と後処理装置間で最低限の情報伝達しかできない。このため、通常プリントや仕上がり確認用試しプリントに先だって、上述した測定用試しプリントが必要になる。また、後処理装置の機種の違いによって、用紙サイズの情報が必要になる場合、用紙サイズと用紙束厚の情報が必要になる場合、といった違いが存在している。
【００１２】
よって、画像形成システムの構成によって、後処理の仕上がり確認又は後処理直前の用紙測定のための後処理用試しプリントを通常プリントに先立ち実行する際に、必要とされる利用者手順が異なったものになる。
【００１３】
また、ジョブの内容によっては、後処理装置における直前の設定をそのまま活用することで、本来は必要である測定用試しプリントが不要になることもある。この場合には、測定用試しプリントを実行せずに、仕上がり確認用試しプリントを実行することになる。
【００１４】
すなわち、画像形成システムの構成やジョブの内容によって、必要となる試しプリントの組み合わせが異なったものになり、利用者の手順が異なる。従って、必要な手順を利用者が把握しておく必要があり、操作が面倒になる。また、測定用試しプリントにおいて、後処理装置に入力すべき用紙サイズ等の数値を間違ったり、あるいは、必要な数値を入力しなかった場合には、正常な印刷物を出力することができない事態に陥る。
【００１５】
本発明はこのような課題に鑑みてなされたものであって、通常プリントに先だって試しプリントを実行する際に、必要な手順を利用者が全て把握していない場合であっても、画像形成システムの構成やジョブの内容によって必要となる試しプリントを適切に実行可能な画像形成装置及び画像形成システム並びに画像形成制御プログラムを実現することを目的とする。
【課題を解決するための手段】
【００１６】
上述した目的のうち少なくとも一つを実現するために、本発明の一側面が反映された画像形成装置及び画像形成システム並びに画像形成制御プログラムは、以下のように構成される。
【００１７】
（１）プリントされた用紙に後処理を施す後処理装置が接続可能であり、後処理の仕上がり確認又は後処理直前の用紙測定のための後処理用試しプリントを通常プリントに先立ち実行する機能を有する画像形成装置であって、前記用紙に画像をプリントする画像形成部と、前記後処理用試しプリントの際に必要とされる利用者手順の情報である試しプリント手順情報を記憶する記憶部と、前記画像形成部における前記後処理用試しプリントの実行と前記通常プリントの実行とを制御する制御部と、を有し、前記制御部は、実行予定のジョブに対応する前記試しプリント手順情報を前記記憶部から読み出し、該試しプリント手順情報を出力する機能を有する、ことを特徴とする。
【００１８】
上記画像形成装置と、前記画像形成装置に接続可能されて前記画像形成装置にてプリントされた用紙に後処理を施す後処理装置と、を備えて構成された画像形成システムにおいて、前記後処理装置は、前記後処理用試しプリント手順情報に基づいた操作を受け付ける機能を有する。
【００１９】
プリントされた用紙に後処理を施す後処理装置が接続可能な画像形成装置のコンピュータを機能させる画像形成制御プログラムであって、前記用紙に画像をプリントする画像形成部、前記後処理用試しプリントの際に必要とされる利用者手順の情報である試しプリント手順情報を記憶する記憶部、前記画像形成部における前記後処理用試しプリントの実行と前記通常プリントの実行とを制御する機能と、後処理の仕上がり確認又は後処理直前の用紙測定のための後処理用試しプリントを通常プリントに先立ち実行する際に、実行予定のジョブに対応する前記試しプリント手順情報を前記記憶部から読み出し、該試しプリント手順情報を出力する機能とを有する制御部、としてコンピュータを機能させることを特徴とする。
【００２０】
（２）上記（１）において、前記試しプリント手順情報は、前記後処理装置において後処理の実行に必要とされるデータの種類のデータ種類情報と、該データを前記後処理装置で操作する必要があることを示す必要操作情報とを、少なくとも含む、ことを特徴とする。
【００２１】
（３）上記（１）〜（２）において、前記試しプリント手順情報の出力は、該画像形成装置において前記試しプリント手順情報を通知する通知用データの生成と出力、又は、該画像形成装置以外の外部の機器において前記試しプリント手順情報を通知する通知用データの生成と出力、の少なくとも一方である、ことを特徴とする。
【００２２】
（４）上記（１）〜（３）において、前記制御部は、前記試しプリント手順情報を出力した後に、出力された当該試しプリント手順情報に対する操作完了確認を示す完了情報を受領するまで待機するよう制御する、ことを特徴とする。
【００２３】
（５）上記（４）において、前記制御部は、実行予定のジョブに対応して、前記試しプリント手順情報の出力に対する前記操作完了確認が必要であるか否かを判断し、前記操作完了確認が必要でないと判断される場合には、前記試しプリント手順情報を出力した後に前記完了情報の受領を待たずに次の処理を進めるよう制御する、ことを特徴とする。
【００２４】
（６）上記（１）〜（５）において、前記制御部は、前記後処理用試しプリントの実行要否を問い合わせる機能を有し、前記問い合わせに対して実行不要の指示が入力された場合は、該指示に対応する前記後処理用試しプリントを実行しないように制御する、ことを特徴とする。
【００２５】
（７）上記（１〜（６）において、前記制御部は、実行した前記ジョブの内容を過去ジョブ履歴として前記記憶部に記憶する機能を有し、実行予定の前記ジョブと内容が一致する過去ジョブ履歴が存在する場合には、実行予定のジョブであって前記過去ジョブ履歴と一致する前記後処理用試しプリントを実行せずに、次の処理に進めるように制御する、ことを特徴とする。
【００２６】
（８）上記（７）において、前記制御部は、実行予定の前記ジョブと内容が一致する過去ジョブ履歴が存在する場合であって、前記記憶部に記憶されている最新の同一後処理内容の前記ジョブと実行予定の前記ジョブとの内容が一致しない場合には、該実行予定のジョブについて前記後処理用試しプリントを実行せずに、該実行予定のジョブにおける前記通常プリントでの後処理の実行のために前記後処理装置において必要とされる手順の確認を行い、該確認の後に次の処理を進める、ことを特徴とする。
【００２７】
（９）上記（７）において、前記制御部は、実行予定の前記ジョブと内容が一致する過去ジョブ履歴が存在する場合であって、前記記憶部に記憶されている最新の同一後処理内容の前記ジョブと実行予定の前記ジョブとの内容が一致する場合には、該実行予定のジョブについて前記後処理用試しプリントを実行せずに次の処理に進めるように制御する、ことを特徴とする。
【００２８】
（１０）上記（１）〜（９）において、前記制御部は、実行予定のジョブにおいて前記後処理装置にて実行される後処理モードを識別し、識別された前記後処理モードを参照して前記記憶部から試しプリント手順情報を読み出す、ことを特徴とする。
【発明の効果】
【００２９】
上述した目的のうち少なくとも一つを実現するために、本発明の一側面が反映された画像形成装置及び画像形成システム並びに画像形成制御プログラムでは、以下のような効果が得られる。
【００３０】
（１）後処理用試しプリントの際に必要とされる利用者手順の情報である試しプリント手順情報を記憶部に記憶しておき、実行予定のジョブに対応する試しプリント手順情報を記憶部から読み出し、該試しプリント手順情報を表示部や外部機器に出力する機能を有する。
【００３１】
このため、画像形成システムの構成やジョブの内容によって、必要となる試しプリントの組み合わせが異なったものになり利用者の手順が異なる場合であっても、利用者は正しい手順に従って後処理装置を操作することが可能になる。
【００３２】
すなわち、通常プリントに先だって試しプリントを実行する際に、必要な手順を利用者が全て把握していない場合であっても、画像形成システムの構成やジョブの内容によって必要となる試しプリントを適切に実行することが可能になる。
【００３３】
（２）上記（１）において、試しプリント手順情報は、後処理装置において後処理の実行に必要とされるデータの種類のデータ種類情報と、該データを後処理装置で操作する必要があることを示す必要操作情報とを、少なくとも含む。
【００３４】
このため、後処理装置において後処理の実行に必要とされるデータの種類や操作を、利用者が正しく認識できるようになり、画像形成システムの構成やジョブの内容によって必要となる試しプリントを適切に実行することが可能になる。
【００３５】
（３）上記（１）〜（２）において、試しプリント手順情報の出力として、該画像形成装置の操作表示部などにおける試しプリント手順情報の表示、又は、外部機器の操作表示部などにおける試しプリント手順情報の表示が行われる。
【００３６】
このため、画像形成システムの構成やジョブの内容によって、必要となる試しプリントの組み合わせが異なったものになり利用者の手順が異なる場合であっても、利用者は正しい手順に従って後処理装置を操作することが可能になる。
【００３７】
（４）上記（１）〜（３）において、試しプリント手順情報を出力した後に、出力された当該試しプリント手順情報に対する操作完了確認を示す完了情報を受領するまで待機する。
【００３８】
すなわち、画像形成システムの構成やジョブの内容によって、必要となる試しプリントの組み合わせが異なったものになり利用者の手順が異なる場合であっても、利用者が正しい手順について確実に完了を確認した状態になるまで画像形成装置は次の処理に進まない。
【００３９】
このため、必要な手順を利用者が全て把握していない場合であっても、画像形成システムの構成やジョブの内容によって必要となる試しプリントを適切に実行可能になる。
（５）上記（４）において、実行予定のジョブに対応して、試しプリント手順情報の出力に対する操作完了確認が必要であるか否かを判断し、操作完了確認が必要でないと判断される場合には、試しプリント手順情報を出力した後に完了情報の受領を待たずに次の処理を進めるよう制御する。
【００４０】
すなわち、画像形成システムの構成やジョブの内容によって、必要となる試しプリントの組み合わせが異なったものになり利用者の手順が異なる場合に、利用者が正しい手順について確実に完了を確認した状態になるまで必要に応じて待機する。
【００４１】
このため、必要な手順を利用者が全て把握していない場合には利用者の操作完了確認を待ち、必要な手順を利用者が把握している場合には利用者の操作完了確認を待たず処理を進めることになるため、画像形成システムの構成やジョブの内容によって必要となる試しプリントを適切に実行可能になる。
【００４２】
（６）上記（１）〜（５）において、後処理用試しプリントの実行要否を問い合わせで、実行不要の指示が入力された場合は、該指示に対応する後処理用試しプリントを実行しないように制御するため、画像形成システムの構成やジョブの内容によって必要となる試しプリントを、無駄なく適切に実行可能になる。
【００４３】
（７）上記（１〜（６）において、実行したジョブの内容を過去ジョブ履歴として記憶し、実行予定のジョブと内容が一致する過去ジョブ履歴が存在する場合には、実行予定のジョブであって過去ジョブ履歴と一致する後処理用試しプリントを実行せずに、次の処理に進めるように制御する。
【００４４】
このため、利用者が試しプリントの適切な設定を知っている場合には無駄な試しプリントを実行しないため、画像形成システムの構成やジョブの内容によって本当に必要となる試しプリントを適切に実行可能になる。
【００４５】
（８）上記（７）において、実行予定のジョブと内容が一致する過去ジョブ履歴が存在する場合であって、記憶部に記憶されている最新の同一後処理内容のジョブと実行予定のジョブとの内容が一致しない場合には、該実行予定のジョブについて後処理用試しプリントを実行せずに、該実行予定のジョブにおける通常プリントでの後処理の実行のために後処理装置において必要とされる手順の確認を行い、該確認の後に次の処理を進める。
【００４６】
このため、利用者が試しプリントの適切な設定を知っている場合であっても後処理装置への操作が必要な場合には、利用者に対する手順の確認を行うようにすることで、画像形成システムの構成やジョブの内容によって必要となる試しプリントを適切に実行可能になる。
【００４７】
（９）上記（７）において、制御部は、実行予定のジョブと内容が一致する過去ジョブ履歴が存在する場合であって、記憶部に記憶されている最新の同一後処理内容のジョブと実行予定のジョブとの内容が一致する場合には、該実行予定のジョブについて後処理用試しプリントを実行せずに次の処理に進めるように制御する、ことを特徴とする。
【００４８】
このため、利用者が試しプリントの適切な設定を知っている場合であって後処理装置への操作も不要な場合には無駄な試しプリントを実行しないため、画像形成システムの構成やジョブの内容によって本当に必要となる試しプリントを適切に実行可能になる。
【００４９】
（１０）上記（１）〜（９）において、実行予定のジョブにおいて後処理装置にて実行される後処理モードを識別し、識別された後処理モードを参照して試しプリント手順情報を読み出すようにしている。このため、後処理モードによって、必要となる試しプリントの組み合わせが異なったものになり利用者の手順が異なる場合であっても、利用者は後処理モードに合致した正しい手順に従って後処理装置を操作することが可能になる。すなわち、通常プリントに先だって試しプリントを実行する際に、必要な手順を利用者が全て把握していない場合であっても、後処理モードによって必要となる試しプリントを適切に実行することが可能になる。
【図面の簡単な説明】
【００５０】
【図１】本発明の実施形態の画像形成システムの構成を示すブロック図である。
【図２】本発明の実施形態の画像形成システムの構成を示す構成図である。
【図３】本発明の実施形態の画像形成システムの構成を示す構成図である。
【図４】本発明の実施形態の動作状態を示す説明図である。
【図５】本発明の実施形態の動作状態を示す説明図である。
【図６】本発明の実施形態のプリントの動作を示すフローチャートである。
【図７】本発明の実施形態のプリントの動作時の表示画面例を示す説明図である。
【図８】本発明の実施形態のプリントの動作を示すフローチャートである。
【図９】本発明の実施形態のプリントの動作時の表示画面例を示す説明図である。
【図１０】本発明の実施形態のプリントの動作時の表示画面例を示す説明図である。
【図１１】本発明の実施形態のプリントの動作時の表示画面例を示す説明図である。
【図１２】本発明の実施形態のプリントの動作時の表示画面例を示す説明図である。
【図１３】本発明の実施形態のプリントの動作時の表示画面例を示す説明図である。
【図１４】本発明の実施形態のプリントの動作を示すフローチャートである。
【図１５】本発明の実施形態のプリントの動作時の表示画面例を示す説明図である。
【図１６】本発明の実施形態のプリントの動作を示すフローチャートである。
【図１７】本発明の実施形態のプリントの動作を示すフローチャートである。
【図１８】本発明の実施形態のプリントの動作を示すフローチャートである。
【図１９】本発明の実施形態のプリントの動作を示すフローチャートである。
【図２０】本発明の実施形態のプリントの動作を示すフローチャートである。
【発明を実施するための形態】
【００５１】
以下、図面を参照して本発明を実施するための形態（以下、実施形態）を詳細に説明する。
〔構成〕
図１のブロック図及び図２の構成図を参照して、本実施の形態に係る画像形成装置と後処理装置とを備える画像形成システムの構成について説明する。
【００５２】
この画像形成システムは、画像形成装置１００と、画像形成装置１００の後段にて用紙排出機能と用紙スタック機能とを備える後処理装置３００と、用紙処理機能を備える後処理装置４００と、を有して構成されている。なお、この画像形成システムにおける各装置の接続は一例であって、この接続状態に限定されるものではない。
【００５３】
なお、画像形成装置１００と後処理装置３００とは、同一メーカーで純正品として接続に配慮された装置である場合を具体例とする。
一方、後処理装置４００は、画像形成装置１００や画像形成装置３００と同一メーカーで純正品として接続に配慮された装置でも良いし、あるいは、画像形成装置１００や画像形成装置３００とは異なるメーカーあるいは異なるシリーズの、汎用の後処理装置でも良い。
【００５４】
画像形成装置１００は、画像形成装置１００内の各部を制御すると共に後処理装置としてシステム全体を制御する制御部１０１と、接続されている他の装置と通信するための通信部１０２と、利用者による操作入力に応じた操作入力信号を制御部１０１に通知すると共に画像形成装置１００の状態表示とを行う操作表示部１０３と、制御プログラム及び各種設定データを記憶すると共に制御プログラムのワークエリアとして使用される記憶部１０４と、収容されている用紙を給紙する給紙部１０５と、給紙されプリントされる用紙を所定速度で搬送する搬送部１０７と、原稿をスキャンして画像データを生成する原稿読込部１２０と、プリントする際のイメージデータや各種データを記憶する画像データ記憶部１３０と、プリントに必要な各種画像処理を実行する画像処理部１４０と、プリント命令と画像処理後のイメージデータとに基づいて画像形成（作像，転写，定着などの一連の動作を意味しており、総称してプリントと呼ぶ）を実行する画像形成部１５０と、を備えて構成されている。
【００５５】
なお、画像形成装置１００でプリントされた用紙は、後段の後処理装置３００に向けて搬出される。また、画像形成装置１００に対しては、通信部１０２を介して、後処理装置３００の他に、コンピュータやプリンタコントローラ等の外部機器が接続されうる。
【００５６】
後処理装置３００は、画像形成装置１００の後段に接続されており、後処理装置３００内の各部を制御する制御部３０１と、前段や後段の装置と通信するための通信部３０２と、制御プログラム及び各種設定データを記憶すると共に制御プログラムのワークエリアとして使用される記憶部３０４と、用紙を搬送する搬送経路を選択する搬送経路選択部３０５と、用紙を排出させる排出経路を選択する排出経路選択部３０６と、用紙を所定速度で排出部又は後段の装置へ向けて搬送する搬送部３１０と、排出すべき用紙をスタッカ等に積載する用紙積載部３２０と、排出すべき用紙をサブトレイ３９０ｓに排出するサブトレイ排出部３９０Ｓと、を備えて構成される。
【００５７】
なお、後処理装置３００内を搬送される用紙は、用紙積載部３２０に積載排出されるか、サブトレイ３９０ｓに排出されるか、あるいは、後段の後処理装置４００に向けて搬出される。
【００５８】
また、通信部３０２は、前段の画像形成装置１００とシリアル通信により通信する通信機能の他、後段の後処理装置４００とシリアル通信又はパラレル通信により通信する通信機能とを備えて構成されている。なお、後処理装置４００が画像形成装置１００と同じシリーズの純正品であれば、通信部３０２は後処理装置４００とシリアル通信により通信する。また、後処理装置４００が画像形成装置１００と同じシリーズではない汎用品であれば、通信部３０２は後処理装置４００とパラレル通信により通信する。
【００５９】
後処理装置４００は、後処理装置３００の後段に接続されており、後処理装置４００内の各部を制御する制御部４０１と、後処理装置３００等と通信するための通信部４０２と、利用者による操作入力に応じた操作入力信号を制御部４０１に通知すると共に後処理装置４００の状態表示とを行う操作表示部４０３と、制御プログラム及び各種設定データを記憶すると共に制御プログラムのワークエリアとして使用される記憶部４０４と、用紙を搬送する搬送経路を選択する搬送経路選択部４０５と、用紙処理された冊子を排出させる排出経路を選択する排出経路選択部４０６と、用紙を所定速度で搬送する搬送部４１０と、排出すべき用紙をスタッカ等に積載する用紙積載部４２０と、用紙を中折り又は３つ折りに折る折り部４４０と、折られた複数枚の用紙を整合する整合部４５０と、折られて整合された用紙束を中綴じ製本のために綴じる中綴じ部４６０と、整合された用紙束を糊付け製本のために糊付けする糊付け部４７０と、用紙束が中綴じされた冊子の小口部分を断裁する断裁部４８０と、メイントレイ４９０ｍを排出先として後処理された冊子を排出する冊子排出部４９０と、を備えて構成される。
【００６０】
なお、図２の構成図において、折り部４４０と、整合部４５０と、中綴じ部４６０と、糊付け部４７０と、断裁部４８０とは、まとめた状態で示している。
なお、通信部４０２は、後処理装置４００が画像形成装置１００等と同一シリーズの純正品である場合には、前段の後処理装置３００とシリアル通信により通信する。また、通信部４０２は、後処理装置４００が汎用品である場合には、前段の後処理装置３００とパラレル通信により通信する。
【００６１】
また、図１〜図２に示される画像形成システムの変形例として、図３のように、画像形成装置１００と画像形成装置１００’とが反転装置２００を介して接続され、後処理装置３００と後処理装置４００とが接続されたタンデム方式の画像形成システムであっても良い。
【００６２】
また、以上の画像形成装置１００や後処理装置３００，４００の接続は一例であって、これらに限定されるものではない。すなわち、３台以上の後処理装置が接続される構成であっても良い。
【００６３】
〔定義〕
なお、本実施形態におけるプリントについては、以下のように定義する。
・ジョブに対応して出力成果物を得るためのプリントを、後述する試しプリントと区別するため「通常プリント」と呼ぶ。
・通常プリントとは別に、後処理の仕上がり確認又は後処理直前の用紙測定のための実行するプリントを「試しプリント」と呼ぶ。
・後処理装置４００に入力する用紙サイズや厚などのパラメータを測定するために、後処理無しでプリントを実行して、後処理用でない排出部に出力する際のプリントを「測定用試しプリント」と呼ぶ（図４の「測定用試しプリント」の欄を参照）。なお、測定用試しプリントについては、後処理装置４００の違いにより、用紙１枚を出力する場合と、用紙束（第１頁から最終頁までそろった状態の用紙の集合体）１部として出力する場合とがある。この測定用試しプリントは、通常は必要に応じて１回実行される。但し、同一内容のジョブを実行済みであって、パラメータが既知であれば実行不要である。
・冊子において後処理を含めた仕上がり確認のために、通常プリントとは別にプリントと後処理とを実行して、完成形の冊子を後処理用の排出部に出力する際のプリントを「仕上がり確認用試しプリント」と呼ぶ（図４の「仕上がり確認用試しプリント」の欄を参照）。この仕上がり確認用試しプリントは、仕上がりが所望の状態になるまで、１回又は複数回実行される。
・画像形成装置１００と後処理装置４００とが同一シリーズの装置であれば、画像形成装置１００から後処理装置４００に対してジョブや後処理に関して必要なパラメータが通信により伝達されるため、測定用試しプリントは不要、仕上がり確認用試しプリントが必要となる（図５の「接続パターン：専用」の欄を参照）。
・後処理装置４００が画像形成装置１００と異なるシリーズの汎用装置であれば、画像形成装置１００から後処理装置４００に対してジョブ登録や後処理に必要なパラメータが通信により伝達されないため、測定用試しプリントは必要、仕上がり確認用試しプリントが必要となる（図５の「接続パターン：汎用（１）」の欄を参照）。
・後処理装置４００が画像形成装置１００と異なるシリーズの汎用装置であって所定サイズの用紙のみ後処理可能であれば、画像形成装置１００から後処理装置４００に対してジョブ登録や後処理に必要なパラメータが通信により伝達されないが、後処理に必要なパラメータは予めきまっているため、測定用試しプリントは不要、仕上がり確認用試しプリントが必要となる（図５の「接続パターン：汎用（２）」の欄を参照）。
・「試しプリント手順情報」とは、あるジョブについて、試しプリントとして測定用試しプリントや仕上がり確認用試しプリントを実行する際に、利用者に必要になる試しプリント手順についての手順情報（測定用試しプリントを実行する際に利用者に必要になる試しプリント手順の手順情報や、仕上がり確認用試しプリントを実行する際に利用者に必要になる試しプリント手順の手順情報）の総称である。すなわち、あるジョブについての試しプリント手順情報には、１つ又は複数の手順情報が含まれている。
【００６４】
〔動作〕
以下、本実施形態の画像形成装置及び画像形成システム並びに画像形成制御プログラムについて、フローチャートを参照して説明する。なお、画像形成システム内部の制御部あるいは外部ＰＣ等により画像形成装置や画像形成システムを所望の状態に機能させるものが画像形成制御プログラムである。
【００６５】
〔実施形態の全体動作〕
本実施形態の画像形成システムにおける基本的な全体動作であるメインルーチンを図６に示すフローチャートで説明する。
【００６６】
なお、以下の説明で、制御部１０１の指示を受けた制御部３０１が後処理装置３００内各部を制御する場合や、制御部１０１の指示を受けた制御部４０１が後処理装置４００内各部を制御する場合も、制御部１０１の制御として説明する。また、コンピュータ等の外部機器から画像形成装置１００に指示を与えることも可能であるが、ここでは操作表示部１０３を用いて利用者が指示を与える場合を具体例として説明する。
【００６７】
まず、画像形成装置１００においてプリントすべきジョブが、利用者により、操作表示部１０３における通常表示画面１０３Ａのジョブリスト画面（図７中の１０３Ａ１）において指定され、プリントキューに登録される（図６中のステップＳ１）。ここでは、図７の表示画面１０３Ａ中のジョブリスト画面１０３Ａ１において、ジョブ名称「20140001」のジョブが選択されてプリントキューに登録された様子を示している。
【００６８】
ここで、制御部１０１は、記憶部１０４等に有するデータベースと、画像形成システムとして接続されている後処理装置４００の機種情報とを参照して、図５の専用／汎用（１）／汎用（２）のいずれであるかを識別する。後処理装置４００が図５の「汎用（１）」に該当すれば、制御部１０１は測定用試しプリントが必要であると判断する（図６中のステップＳ２でＹＥＳ）。
【００６９】
このため、制御部１０１は、測定用試しプリントとして、用紙１枚あるいは用紙束１部のプリントを実行し、後処理用でない排出部であるサブトレイ３９０ｓに排出する（図６中のステップＳ３）。また、この測定用試しプリントの実行に際して、制御部１０１は、記憶部１０４に予め格納されている試しプリント手順情報を読み出して出力する。なお、該試しプリント手順情報の出力としては、操作表示部１０３での表示、外部ＰＣへの情報の伝達、リモートパネルへの情報の伝達、などが該当する。
【００７０】
この試しプリント手順情報の内容としては、後処理装置４００において後処理の実行に必要とされるデータの種類（用紙サイズ、又は、用紙サイズと用紙束厚）を示すデータ種類情報と、該データを測定して後処理装置４００で操作（入力）する必要があることを示す必要操作情報とが、少なくとも含まれる。
【００７１】
ここで、利用者は、試しプリント手順情報に従って、測定用試しプリントで出力された用紙を測定し（図６中のステップＳ４）、測定結果を後処理装置４００の操作表示部４０３から入力する（図６中のステップＳ５）。
【００７２】
以上のようにして測定用試しプリントの出力と測定と入力とが完了した場合、あるいは、後処理装置４００が図５の「専用」又は「汎用（２）」に該当して測定用試しプリントが必要でない場合（図６中のステップＳ２でＮＯ）、制御部１０１は、仕上がり確認用試しプリントとして、プリントと後処理とを実行して、完成形の冊子を後処理用の排出部であるメイントレイ４９０ｍに排出する（図６中のステップＳ６）。
【００７３】
また、この仕上がり確認用試しプリントの実行に際して、制御部１０１は、記憶部１０４に予め格納されている試しプリント手順情報を読み出して出力する。なお、該試しプリント手順情報の出力としては、操作表示部１０３での表示、外部ＰＣへの情報の伝達、リモートパネルへの情報の伝達、などが該当する。そして、この試しプリント手順情報の内容としては、出力される冊子の仕上がり具合を利用者が確認すること、仕上がりが所望の状態であるか否かを操作表示部１０３に入力すること、が少なくとも含まれる。また、この仕上がり確認用試しプリントは、仕上がりが所望の状態になるまで、１回又は複数回実行される（図６中のステップＳ７でＮＯ、ステップＳ６）。
【００７４】
ここで、冊子の仕上がり状態が所望の状態であると利用者により確認されると（図６中のステップＳ７でＹＥＳ）、制御部１０１は、試しプリントの処理を終了して、ジョブについて指定されている通常プリントを実行し、指定されている部数の冊子を出力するようプリントと後処理とを実行するよう各部を制御する（図７中のステップＳ８）。
【００７５】
〔実施形態の詳細動作（１）〕
本実施形態の画像形成システムにおける詳細動作の第一例を図８に示すフローチャートで説明する。この詳細動作の説明では、試しプリント手順情報の通知についても詳しく説明する。
【００７６】
まず、画像形成装置１００においてプリントすべきジョブについての実行指示が利用者からなされる。この実行指示されたジョブがプリントキューに登録される（図８中のステップＳ１０１）。なお、制御部１０１は、画像形成システムとして接続されている後処理装置４００の機種情報や登録されたジョブのジョブデータを参照し、後処理の仕上がり確認又は後処理直前の用紙測定のための後処理用試しプリントの際に必要とされる利用者手順の情報である試しプリント手順情報を生成する。そして、制御部１０１は、試しプリント手順情報をジョブデータと関連づけて、画像データ記憶部１３０等に格納しておく。
【００７７】
ここで、制御部１０１は、登録されたジョブについての試しプリント手順情報を読み出す（図８中のステップＳ１０３）。
この試しプリント手順情報には、対象となるジョブについての、試しプリントとして測定用試しプリントや仕上がり確認用試しプリントを実行する際に利用者に必要になる試しプリント手順の手順情報が含まれている。なお、図６で説明したように、画像形成装置１００と後処理装置４００とが同一シリーズの装置であれば、不要である測定用試しプリントの手順情報は含まれず、必要である仕上がり確認用試しプリントの手順情報が含まれる。また、後処理装置４００が画像形成装置１００と異なるシリーズの汎用装置であれば、必要である測定用試しプリントの手順情報と、必要である仕上がり確認用試しプリントの手順情報と、が含まれる。そして、後処理装置４００が画像形成装置１００と異なるシリーズの汎用装置であって所定サイズの用紙のみ後処理可能であれば、不要である測定用試しプリントの手順情報は含まれず、必要である仕上がり確認用試しプリントの手順情報が含まれる。
【００７８】
制御部１０１は、試しプリント手順情報に含まれる手順情報の番号Ｎの初期値を１と設定し（図８中のステップＳ１０４）、Ｎ番目の手順情報が存在するか否かを判断する（図８中のステップＳ１０５）。
【００７９】
Ｎ番目の手順情報が存在しており（図８中のステップＳ１０５でＹＥＳ）、例えばＮ番目の手順情報が測定用試しプリントについての手順情報であれば、制御部１０１は、操作表示部１０３の表示画面１０３Ａにおいて、測定用試しプリント通知画面１０３Ａ３ａ（図９参照）を表示して、利用者に対して測定用試しプリントを実行する旨を通知する（図８中のステップＳ１０７）。
【００８０】
なお、この通知は、操作表示部１０３だけでなく、外部ＰＣ等への測定用試しプリント通知画面１０３Ａ３ａの表示用データの出力であっても良い。なお、この測定用試しプリント通知画面１０３Ａ３ａでは、手順情報として、測定用試しプリントにおいて利用者がどのような手順で操作をする必要があるかを示す必要操作情報が含まれている。
【００８１】
図９の例では、測定用試しプリントを実行する場合に［実行ボタン］を操作する必要があること、測定用試しプリントを実行しない場合に［実行不要ボタン］を操作する必要があること、及び、測定用試しプリントによって出力される用紙を利用者が測定する必要があること、が通知されている。
【００８２】
ここで、測定用試しプリント通知画面１０３Ａ３ａでの通知（図９）に従って、利用者が測定用試しプリントを実行する旨の［実行ボタン］（図９中の１０３Ａ３ａ１）を操作した場合、制御部１０１は測定用試しプリントを実行する操作を受け付ける（図８中のステップＳ１０８）。なお、測定用試しプリント通知画面１０３Ａ３ａでの通知（図９）に従って、利用者が測定用試しプリントを実行しない旨の［実行不要ボタン］（図９中の１０３Ａ３ａ２）を操作した場合、フローチャートには記載が無いが、Ｎをインクリメントして次の手順情報の確認に移行する（図８中のステップＳ１１２，Ｓ１０５）。
【００８３】
測定用試しプリントを実行する操作を受け付けた制御部１０１は、測定用試しプリントとして、用紙１枚あるいは用紙束１部のプリントを実行し、後処理用でない排出部であるサブトレイ３９０ｓに排出する（図８中のステップＳ１０９）。
【００８４】
この測定用試しプリントの実行に伴い、制御部１０１は、操作表示部１０３の表示画面１０３Ａにおいて、測定用試しプリント完了通知画面１０３Ａ３ａ’（図１０参照）を表示して、利用者に対して測定用試しプリントを実行した旨を通知する。ここで、図１０の画面では、測定用試しプリントにおいて、どのようなデータが後処理装置４００で必要とされるかのデータ種類情報が含まれている。
【００８５】
図１０の例では、測定用試しプリントを実行した場合に、測定用試しプリントによって出力された用紙のサイズや厚みを利用者が測定する必要があること、測定された用紙サイズや厚みを後処理装置４００に入力する必要があること、測定と入力とが完了したら［完了ボタン］を操作する必要があること、が通知されている。
【００８６】
ここで、測定用試しプリント完了通知画面１０３Ａ３ａ’での通知（図１０）に従って、利用者が測定用試しプリントの用紙を測定して測定結果を後処理装置４００に入力し、［完了ボタン］（図１０中の１０３Ａ３ａ３）を操作して（図８中のステップＳ１１０）、測定用試しプリントの処理を完了する。
【００８７】
以上の測定完了の操作を受け付けた制御部１０１は（図８中のステップＳ１１１でＹＥＳ）、試しプリント手順情報に含まれる手順情報の番号Ｎをインクリメントして（図８中のステップＳ１１２）、更に新たなＮ番目の手順情報が存在するか否かを判断する（図８中のステップＳ１０５）。
【００８８】
Ｎ番目の手順情報が存在しており（図８中のステップＳ１０５でＹＥＳ）、例えばＮ番目の手順情報が仕上がり確認用試しプリントについての手順情報であれば、制御部１０１は、操作表示部１０３の表示画面１０３Ａにおいて、仕上がり確認用試しプリント通知画面１０３Ａ３ｂ（図１１参照）を表示して、利用者に対して仕上がり確認用試しプリントを実行する旨を通知する（図８中のステップＳ１０７）。
【００８９】
なお、この通知は、操作表示部１０３だけでなく、外部ＰＣ等への仕上がり確認用試しプリント通知画面１０３Ａ３ｂの表示用データの出力であっても良い。なお、この仕上がり確認用試しプリント通知画面１０３Ａ３ｂでは、手順情報として、仕上がり確認用試しプリントにおいて利用者がどのような手順で操作をする必要があるかを示す必要操作情報が含まれている。
【００９０】
図１１の例では、仕上がり確認用試しプリントを実行する場合に［実行ボタン］を操作する必要があること、仕上がり確認用試しプリントを実行しない場合に［実行不要ボタン］を操作する必要があること、が通知されている。
【００９１】
ここで、仕上がり確認用試しプリント通知画面１０３Ａ３ｂでの通知（図１１）に従って、利用者が仕上がり確認用試しプリントを実行する旨の［実行ボタン］（図１１中の１０３Ａ３ｂ１）を操作した場合、制御部１０１は仕上がり確認用試しプリントを実行する操作を受け付ける（図８中のステップＳ１０８）。なお、仕上がり確認用試しプリント通知画面１０３Ａ３ｂでの通知（図１１）に従って、利用者が仕上がり確認用試しプリントを実行しない旨の［実行不要ボタン］（図１１中の１０３Ａ３ｂ２）を操作した場合、フローチャートには記載が無いが、Ｎをインクリメントして次の手順情報の確認に移行する（図８中のステップＳ１１２，Ｓ１０５）。
【００９２】
仕上がり確認用試しプリントを実行する操作を受け付けた制御部１０１は、仕上がり確認用試しプリントとして、プリントと後処理を実行して完成形の冊子１部を作成し、後処理用の排出部であるメイントレイ４９０ｍに排出する（図８中のステップＳ１０９）。
【００９３】
この仕上がり確認用試しプリントの実行に伴い、制御部１０１は、操作表示部１０３の表示画面１０３Ａにおいて、仕上がり確認用試しプリント完了通知画面１０３Ａ３ｂ’（図１２参照）を表示して、利用者に対して仕上がり確認用試しプリントを実行した旨を通知する。ここで、図１２の画面では、仕上がり確認用試しプリントにおいて、利用者がどのように確認して確認結果を入力する必要があるかを示す必要操作情報が含まれている。
【００９４】
図１２の例では、仕上がり確認用試しプリントを実行した場合に、仕上がり確認用試しプリントによって出力された冊子の仕上がり具合を利用者が確認する必要があること、確認が完了したら［完了ボタン］又は［再実行ボタン］を操作する必要があること、が通知されている。
【００９５】
ここで、仕上がり確認用試しプリント完了通知画面１０３Ａ３ｂ’での通知（図１２）に従って、利用者が仕上がり確認用試しプリントの冊子を確認して、仕上がりに問題が有れば［再実行ボタン］（図１２中の１０３Ａ３ｂ４）を操作すると（図８中のステップＳ１１０，Ｓ１１１でＮＯ）、制御部１０１は仕上がり確認用試しプリントを再実行する操作として受け付ける（図８中のステップＳ１０８）。この場合には、仕上がり確認用試しプリントに関して、上述したステップＳ１０８，Ｓ１０９，Ｓ１１０の処理を繰り返す。
【００９６】
一方、仕上がり確認用試しプリント完了通知画面１０３Ａ３ｂ’での通知（図１２）に従って、利用者が仕上がり確認用試しプリントの冊子を確認して、仕上がりに問題が無ければ［完了ボタン］（図１２中の１０３Ａ３ｂ３）を操作すると（図８中のステップＳ１１０，Ｓ１１１でＹＥＳ）、制御部１０１は仕上がり確認用試しプリントの処理を完了する。
【００９７】
以上の測定完了の操作を受け付けた制御部１０１は（図８中のステップＳ１１１でＹＥＳ）、試しプリント手順情報に含まれる手順情報の番号Ｎをインクリメントして（図８中のステップＳ１１２）、更に新たなＮ番目の手順情報が存在するか否かを判断する（図８中のステップＳ１０５）。
【００９８】
ここで、制御部１０１は、Ｎ番目の手順情報が存在していなければ（図８中のステップＳ１０５でＮＯ）、試しプリントの処理を完了し、登録されたジョブを出力するため、通常プリントを実行する（図８中のステップＳ１２３）。すなわち、制御部１０１は、登録されたジョブに対応したプリントと後処理とを実行して、出力成果物を得るように各部を制御する。
【００９９】
なお、制御部１０１は、通常プリントの開始にあたっては、操作表示部１０３の表示画面１０３Ａにおいて、通常プリント通知画面１０３Ａ３ｃ（図１３参照）を表示して、利用者に対して通常プリント実行のために［開始ボタン］（図１３中の１０３Ａ３ｃ１）の操作を求める旨を通知する。なお、この通知は、操作表示部１０３だけでなく、外部ＰＣ等への通常プリント通知画面１０３Ａ３ｃの表示用データの出力であっても良い。
【０１００】
以上のようにして処理を進めることで、画像形成システムの構成やジョブの内容によって、必要となる試しプリントの組み合わせが異なったものになり利用者の手順が異なる場合であっても、利用者は正しい手順に従って後処理装置を操作することが可能になる。すなわち、通常プリントに先だって試しプリントを実行する際に、必要な手順を利用者が全て把握していない場合であっても、画像形成システムの構成やジョブの内容によって必要となる試しプリントを適切に実行することが可能になる。
【０１０１】
〔実施形態の詳細動作（２）〕
本実施形態の画像形成システムにおける詳細動作の第二例を図１４に示すフローチャートで説明する。なお、この図１４では、対応する図８の処理と同一処理については同一ステップ番号を付すことで重複した説明を省略し、相違点を中心に説明する。
【０１０２】
測定用試しプリントを実行した後に、制御部１０１は、後処理装置４００での入力操作漏れを防止するため、操作表示部１０３の表示画面１０３Ａにおいて、測定用試しプリント測定結果入力操作確認通知画面１０３Ａ３ａ”（図１５参照）を表示して、利用者に対して後処理装置４００での入力操作の確認を通知する（図１４中のステップＳ１１３）。
【０１０３】
ここで、測定用試しプリント測定結果入力操作確認通知画面１０３Ａ３ａ”での通知（図１５）に従って、利用者が［完了ボタン］（図１５中の１０３Ａ３ａ３）を操作（図１４中のステップＳ１１４）するまで、制御部１０１は、測定用試しプリントの処理完了を待機する。
【０１０４】
なお、ここでは測定用試しプリントについて説明したが、仕上がり確認用試しプリントの場合でも、同様にして、仕上がり確認漏れを防止するようにしても良い。
すなわち、画像形成システムの構成やジョブの内容によって、必要となる試しプリントの組み合わせが異なったものになり利用者の手順が異なる場合であっても、利用者が正しい手順について確実に完了を確認した状態になるまで画像形成装置は次の処理に進まない。このため、必要な手順を利用者が全て把握していない場合であっても、画像形成システムの構成やジョブの内容によって必要となる試しプリントを適切に実行可能になる。
【０１０５】
〔実施形態の詳細動作（３）〕
本実施形態の画像形成システムにおける詳細動作の第三例を図１６に示すフローチャートで説明する。なお、この図１６では、対応する図８や図１４の処理と同一処理については同一ステップ番号を付すことで重複した説明を省略し、相違点を中心に説明する。
【０１０６】
制御部１０１は、登録（図１６中のステップＳ１０１）されたジョブの内容と画像形成システムの構成とから、必要となる試しプリントにおける処理モードを識別する（図１６中のステップＳ１０２）。ここで、処理モードとは、測定用試しプリントと仕上がり確認用試しプリント、仕上がり確認用試しプリントのみ、などである。
【０１０７】
そして、制御部１０１は、上述した詳細動作（２）で説明した入力操作確認通知（図１４中のステップＳ１１３）と入力操作確認受け付け（図１４中のステップＳ１１４）とについて、処理モードに応じて必要であると判断される場合のみ（図１６中のステップＳ１１９でＹＥＳ）行うようにして、処理モードに応じて必要でない判断される場合（図１６中のステップＳ１１９でＮＯ）には省略するよう背御する。
【０１０８】
すなわち、１０１制御部は、実行予定のジョブに対応して、試しプリント手順情報の出力に対する操作完了確認が必要であるか否かを判断し、操作完了確認が必要でないと判断される場合には、試しプリント手順情報を出力した後に前記完了情報の受領を待たずに次の処理を進めるよう制御するため、無駄なく、利用者は正しい手順に従って後処理装置を操作することが可能になる。
【０１０９】
〔実施形態の詳細動作（４）〕
本実施形態の画像形成システムにおける詳細動作の第四例を図１７に示すフローチャートで説明する。なお、この図１７では、対応する図８の処理と同一処理については同一ステップ番号を付すことで重複した説明を省略し、相違点を中心に説明する。
【０１１０】
以上の各詳細動作では、試しプリント通知画面１０３Ａ３ａにおいて試しプリントの処理を実行するか否かを利用者が選択できるように構成されていた。これに対し、試しプリント通知画面１０３Ａ３ａより以前の表示画面（図示せず）において、次の試しプリントの処理を不要と入力することで（図１７中のステップＳ１０６ａでＹＥＳ）、試しプリントの処理（通知、実行、確認）を省略することが可能である。
【０１１１】
この場合には、制御部１０１は、試しプリントの手順情報の通知の以前に、後処理用試しプリントの実行要否を問い合わせだけの表示画面を操作表示部１０３や外部ＰＣに通知することが望ましい。ここで、後処理用試しプリントの実行要否を問い合わせで、実行不要の指示が入力された場合は、該指示に対応する後処理用試しプリントを実行しないように制御するため、画像形成システムの構成やジョブの内容によって必要となる試しプリントを無駄なく適切に実行可能になる。
【０１１２】
〔実施形態の詳細動作（５）〕
本実施形態の画像形成システムにおける詳細動作の第五例を図１８に示すフローチャートで説明する。なお、この図１８では、対応する図８の処理と同一処理については同一ステップ番号を付すことで重複した説明を省略し、相違点を中心に説明する。
【０１１３】
この詳細動作の第五例では、試しプリントの処理が完了して（図１８中のステップＳ１０５でＮＯ）通常プリントを実行する（図１８中のステップＳ１２３）前に、ジョブ内容として、どのような試しプリントの処理を実行したかを履歴として画像データ記憶部１３０等に登録しておく（図１８中のステップＳ１２２）。
【０１１４】
ここで、制御部１０１は、Ｎ番目の手順情報を通知する前に、試しプリントの履歴を参照し、同一内容のジョブが履歴に存在していなければ（図１８中のステップＳ１０６ｂでＮＯ）、利用者は最適な設定を知っていないと考えられるため、試しプリントの処理を通常通り実行するよう制御する（図１８中のステップＳ１０７〜Ｓ１１１）。
【０１１５】
また、制御部１０１は、Ｎ番目の手順情報を通知する前に、試しプリントの履歴を参照し、同一内容のジョブが履歴に存在していれば（図１８中のステップＳ１０６ｂでＹＥＳ）、利用者が最適な設定を知っていると考えられるため、試しプリントの処理を省略するよう制御する（図１８中のステップＳ１１２）。
【０１１６】
なお、この場合に、制御部１０１は、「試しプリントの処理を省略します。良いですか」といった問い合わせ画面を生成して、操作表示部１０３や外部ＰＣに表示するようにしても良い。
【０１１７】
すなわち、実行したジョブの内容を過去ジョブ履歴として記憶し、実行予定のジョブと内容が一致する過去ジョブ履歴が存在する場合には、実行予定のジョブであって過去ジョブ履歴と一致する後処理用試しプリントを実行せずに、次の処理に進めるように制御する。このため、利用者が試しプリントの適切な設定を知っている場合には無駄な試しプリントを実行しないため、画像形成システムの構成やジョブの内容によって本当に必要となる試しプリントを適切に実行可能になる。
【０１１８】
〔実施形態の詳細動作（６）〕
本実施形態の画像形成システムにおける詳細動作の第六例を図１９に示すフローチャートで説明する。なお、この図１９では、対応する図８や図１８の処理と同一処理については同一ステップ番号を付すことで重複した説明を省略し、相違点を中心に説明する。
【０１１９】
この詳細動作の第六例では、試しプリントの処理が完了して（図１９中のステップＳ１０５でＮＯ）通常プリントを実行する（図１９中のステップＳ１２３）前に、ジョブ内容として、どのような試しプリントの処理を実行したかを履歴として画像データ記憶部１３０等に登録しておく（図１９中のステップＳ１２２）。
【０１２０】
ここで、制御部１０１は、Ｎ番目の手順情報を通知する前に、試しプリントの履歴を参照し、同一内容のジョブが履歴に存在していなければ（図１９中のステップＳ１０６ｂでＮＯ）、利用者は最適な設定を知っていないと考えられるため、試しプリントの処理を通常通り実行するよう制御する（図１９中のステップＳ１０７〜Ｓ１１１）。
【０１２１】
また、制御部１０１は、Ｎ番目の手順情報を通知する前に、試しプリントの履歴を参照し、同一内容のジョブが履歴に存在しており（図１８中のステップＳ１０６ｂでＹＥＳ）、履歴中の最新の同一モードジョブと履歴が一致していれば（図１８中のステップＳ１０６ｃでＹＥＳ）、利用者が最適な設定を知っていて、後処理装置４００の設定変更も不要であると考えられる。このため、制御部１０１は、試しプリントの処理を省略するよう制御する（図１８中のステップＳ１１２）。なお、この場合に、制御部１０１は、「試しプリントの処理を省略します。良いですか」といった問い合わせ画面を生成して、操作表示部１０３や外部ＰＣに表示するようにしても良い。
【０１２２】
一方、制御部１０１は、Ｎ番目の手順情報を通知する前に、試しプリントの履歴を参照し、同一内容のジョブが履歴に存在しており（図１８中のステップＳ１０６ｂでＹＥＳ）、履歴中の最新の同一モードジョブと履歴が一致していなければ（図１８中のステップＳ１０６ｃでＮＯ）、利用者が最適な設定を知っているが、後処理装置４００の設定変更は必要であると考えられる。このため、制御部１０１は、測定用試しプリント測定結果入力操作確認通知画面１０３Ａ３ａ”（図１５等）での通知（図１９中のステップＳ１２０）に従って、利用者が［完了ボタン］（図１５中の１０３Ａ３ａ３）を操作するまで、制御部１０１は、測定用試しプリントの処理完了を待機する（図１９中のステップＳ１２１）。
【０１２３】
このため、利用者が試しプリントの適切な設定を知っている場合であっても後処理装置４００への操作が必要な場合には、利用者に対する手順の確認を行うようにすることで、画像形成システムの構成やジョブの内容によって必要となる試しプリントを適切に実行可能になる。
【０１２４】
また、利用者が試しプリントの適切な設定を知っている場合であって後処理装置への操作も不要な場合には無駄な試しプリントを実行しないため、画像形成システムの構成やジョブの内容によって本当に必要となる試しプリントを適切に実行可能になる。
【０１２５】
〔実施形態の詳細動作（７）〕
本実施形態の画像形成システムにおける詳細動作の第七例を図２０に示すフローチャートで説明する。なお、この図２０では、対応する図８の処理と同一処理については同一ステップ番号を付すことで重複した説明を省略し、相違点を中心に説明する。
【０１２６】
制御部１０１は、登録（図２０中のステップＳ１０１）されたジョブの内容と画像形成システムの構成とから、必要となる試しプリントにおける処理モードを識別する（図２０中のステップＳ１０２）。ここで、処理モードとは、後処理装置４００に応じて定まるもので、測定用試しプリントと仕上がり確認用試しプリント、仕上がり確認用試しプリントのみ、などである。
【０１２７】
そして、制御部１０１は、登録されたジョブについて、識別された処理モードに応じた試しプリント手順情報を読み出す（図８中のステップＳ１０３’）。
すなわち、実行予定のジョブにおいて後処理装置４００にて実行される後処理モードを識別し、識別された後処理モードを参照して試しプリント手順情報を読み出すようにしている。このため、後処理モードによって、必要となる試しプリントの組み合わせが異なったものになり利用者の手順が異なる場合であっても、利用者は後処理モードに合致した正しい手順に従って後処理装置４００を操作することが可能になる。すなわち、通常プリントに先だって試しプリントを実行する際に、必要な手順を利用者が全て把握していない場合であっても、後処理モードによって必要となる試しプリントを適切に実行することが可能になる。
【符号の説明】
【０１２８】
１００  画像形成装置
１０１  制御部
１０２  通信部
１０３  操作表示部
１０４  記憶部
１０５  給紙部
１０７  搬送部
１２０  原稿読込部
１３０  画像データ記憶部
１４０  画像処理部
１５０  画像形成部
３００  後処理装置
４００  後処理装置
【図１】
2015156132.tif 000003
【図２】
2015156132.tif 000004
【図３】
2015156132.tif 000005
【図４】
2015156132.tif 000006
【図５】
2015156132.tif 000007
【図６】
2015156132.tif 000008
【図７】
2015156132.tif 000009
【図８】
2015156132.tif 000010
【図９】
2015156132.tif 000011
【図１０】
2015156132.tif 000012
【図１１】
2015156132.tif 000013
【図１２】
2015156132.tif 000014
【図１３】
2015156132.tif 000015
【図１４】
2015156132.tif 000016
【図１５】
2015156132.tif 000017
【図１６】
2015156132.tif 000018
【図１７】
2015156132.tif 000019
【図１８】
2015156132.tif 000020
【図１９】
2015156132.tif 000021
【図２０】
2015156132.tif 000022